(57)【要約】【課題】  噴水調整制御の操作に便利なウォーターガンの噴水調整制御機構の提供。【解決手段】  該ウォーターガンはガン本体、位置決め制御機構、プッシュレバー及び流量制御機構が組み合わされてなり、該位置決め制御機構はグリップ本体のガイド柱に取り付けられて循環滑り溝軌跡を具えたガイドブロックに、プッシュレバー内部に設けられて位置決めバネを具えた位置決めロッドが組み合わされ、該位置決めロッドの折り曲げ端がガイドブロックの滑り溝中に垂直に嵌合し、連続してプッシュレバーが押圧されることで、位置決めロッドがガイドブロックの滑り溝に沿って循環移動し、またグリップ本体のプッシュスイッチの協動が組み合わされ、並びにガン本体出水端の流量制御機構の回転調整により、噴水ヘッドが移動し、これにより噴水孔と出水口間の距離が改変され、ウォーターガンの流量定位制御及び異なる流量の出水モードが獲得される。【選択図】        図１
0003115679.tif 000002
【実用新案登録請求の範囲】
【請求項１】
ウォーターガンの噴水調整制御機構であって、該ウォーターガンは、ガン本体、プッシュレバー、位置決め制御機構、噴水ヘッド及び流量制御機構が組み合わされてなり、そのうち、該ガン本体の内部に入水管路を具えたグリップ本体があり、これにより水流が入水管路を流れてガン管座の噴水ヘッドより噴水され、グリップ本体の水流管路間にプッシュスイッチが取り付けられて管路壁間に突出する出水プッシュロッドを弾性定位する時、ちょうどグリップ本体前端外周に枢設されたプッシュレバーと圧接し、該プッシュレバーが連続して押圧され回転することにより、プッシュスイッチが同期に動作し、これによりウォーターガン流量が通水或いは止水状態とされ、該グリップ本体上端にガン管座が延設され、並びに出水管路の末端に出水スリーブが枢設され、更に出水スリーブに噴水調整ヘッドが螺合され、カバーがガン管座を封じるように設けられ、流量制御機構を回転調整して噴水孔と出水口間の距離を改変して噴水流量の異なる噴水モードを形成させられる、上記ウォーターガンの噴水調整制御機構において、
該ウォーターガンのグリップ本体のプッシュレバーと相互動作が対応する部分に、ガイドブロック、位置決めバネ、位置決めロッドを具えた水流位置決め制御機構が設けられ、そのうち、ガイドブロックは中空方形柱体とされ、グリップ本体前端の案内柱に取り付けられ、且つガイドブロックの外側に、行程が対称な環形の滑り溝が設けられ、位置決めロッドが位置決めバネによりプッシュレバー上方内側の位置決め柱に嵌合され、並びにその折り曲げ端が９０度の垂直方向でガイドブロックの滑り溝中に嵌入し循環移動し、
以上の部品で構成されて、連続してプッシュレバーが押圧されることで、位置決めロッドがガイドブロックの滑り溝を循環移動し、更にグリップ本体のプッシュスイッチの協動が組み合わされて、ウォーターガン流量が通水或いは止水状態とされ、これにより省力化され且つ操作制御に便利とされたことを特徴とする、ウォーターガンの噴水調整制御機構。
【請求項２】
請求項１記載のウォーターガンの噴水調整制御機構において、位置決めロッドは逆Ｕ形ロッド体とされ、その一つの折り曲げ端がプッシュレバーの位置決め柱の穿孔中に挿入され、別の折り曲げ端が位置決め柱外側に突出し、ガイドブロックの滑り溝中に嵌入係止されることを特徴とする、ウォーターガンの噴水調整制御機構。
【請求項３】
請求項２記載のウォーターガンの噴水調整制御機構において、位置決めロッドの穿孔に近い折り曲げ端部分に別に内向きに折り曲げられた圧接端が設けられ、位置決めバネの嵌合圧接により、位置決め柱に組み合わされた位置決めロッドの、スライドブロックの滑り溝における移動の案内定位機能が形成されることを特徴とする、ウォーターガンの噴水調整制御機構。
【請求項４】
請求項１記載のウォーターガンの噴水調整制御機構において、ガイドブロックの滑り溝間に落差を有する斜面が形成され、位置決めロッドを順調に案内することを特徴とする、ウォーターガンの噴水調整制御機構。
【請求項５】
請求項１記載のウォーターガンの噴水調整制御機構において、滑り溝の開始点と定位点の間に高さ位置の落差があり、プッシュスイッチが通水と止水の動作変化を具えるものとされたことを特徴とする、ウォーターガンの噴水調整制御機構。
【請求項６】
請求項１記載のウォーターガンの噴水調整制御機構において、滑り溝が行程が三角翼状の対称な環形溝とされ、位置決めロッドがその間を弾性を以て循環移動することを特徴とする、ウォーターガンの噴水調整制御機構。
【請求項７】
請求項６記載のウォーターガンの噴水調整制御機構において、滑り溝の溝内部にストッパブロックが凸設されて位置決めロッドの通水状態時の位置決め機能を提供することを特徴とする、ウォーターガンの噴水調整制御機構。
【請求項８】
ウォーターガンの噴水調整制御機構であって、該ウォーターガンは、ガン本体、プッシュレバー、位置決め制御機構及び流量制御機構が組み合わされてなり、そのうち、該ガン本体の内部に入水管路を具えたグリップ本体があり、これにより水流が入水管路を流れてガン管座の噴水ヘッドより噴水され、グリップ本体の水流管路間にプッシュスイッチが取り付けられて管路壁間に突出する出水プッシュロッドを弾性定位する時、ちょうどグリップ本体前端外周に枢設されたプッシュレバーと圧接し、該プッシュレバーが連続して押圧され回転することにより、プッシュスイッチが同期に動作し、これによりウォーターガン流量が通水或いは止水状態とされ、該グリップ本体上端にガン管座が延設され、並びに出水管路の末端に出水スリーブが枢設され、更に出水スリーブに噴水調整ヘッドが螺合され、カバーがガン管座を封じるように設けられ、流量制御機構を回転調整して噴水孔と出水口間の距離を改変して噴水流量の異なる噴水モードを形成させられる、上記ウォーターガンの噴水調整制御機構において、
該流量制御機構が制動輪と伝動輪で構成され、該制動輪がガン管座の框体縁底部の外側端に当接し、別端は框体縁の底端に係止され、結合プラグを具えた伝動輪がガン管座の框体縁底ガイドブロック４１に螺合され、該伝動輪の歯が噴水調整ヘッドの接合歯と噛み合い回転し、
以上の部品で構成されて、使用者が簡単に片手でガン本体を握持して手指で流量制御機構を回転調整することで、噴水ヘッドに微量の移動を形成させて、噴水口と出水口の間の距離を改変し、異なる流量の噴水モードを獲得でき、操作制御に便利とされたことを特徴とする、ウォーターガンの噴水調整制御機構。
【請求項９】
請求項８記載のウォーターガンの噴水調整制御機構において、制動輪の一側面の中心部分に結合凹孔が設けられ、結合プラグを具えた伝動輪の挿入結合定位に供されることを特徴とする、ウォーターガンの噴水調整制御機構。
【請求項１０】
請求項８記載のウォーターガンの噴水調整制御機構において、伝動輪の表面に歯が設けられ、噴水調整ヘッドを駆動して微量の移動を形成させるのに供されることを特徴とする、ウォーターガンの噴水調整制御機構。
【請求項１１】
請求項８記載のウォーターガンの噴水調整制御機構において、伝動輪の歯面距離が噴水調整ヘッドの接合歯の歯面距離より大きく、該噴水調整ヘッドが伝動輪の歯面において移動可能とされたことを特徴とする、ウォーターガンの噴水調整制御機構。
【考案の詳細な説明】
【技術分野】
【０００１】
本考案は一種のウォーターガンの噴水調整制御機構に係り、特に、プッシュレバーの連続押圧による位置決め制御機構の循環ガイドスライド移動に、グリップ本体のプッシュスイッチの連動が組み合わされることで、ウォーターガンの通水或いは止水状態が形成され、更に流量制御機構の回転調整により、噴水孔と出水口間の距離が改変されて、省力と噴水流量制御の操作に便利な機能を提供する、ウォーターガンの噴水調整制御機構に関する。
【背景技術】
【０００２】
一般に周知のウォーターガン７０は、図８、９に示されるように、ガン本体７１、作動ロッド７２、出水スリーブ７３、噴水ヘッド７４、及びプッシュレバー７５で構成されている。そのうち、水流はガン本体７１内部の入水管路７１１より流入し、上方の出水管路７１２を通り、更に該出水管路７１２中の作動ロッド７２に組み合わされたバネ７２１がプッシュレバー７５の押圧を受けて後方に引っ張られて移動することで、出水管路７１２と出水スリーブ７３が導通状態を呈し、更に噴水ヘッド７４の噴水孔７４１と出水スリーブ７３の出水口７３１の距離が回転調整されることで、水流がガン本体７１の前端の噴水ヘッド７４の噴水孔７４１より噴出し、噴水流量制御の目的が達成される。しかし、噴水過程中に、使用者が長期にプッシュレバー７５を押圧することで手部の痛みを形成しないように、ガン本体７１に水制御リング７６が設けられ、該プッシュレバー７５を押圧して水流を噴水状態とした後、該水制御リング７６を回すことにより、それに該プッシュレバー７５の係止部７５１を係止させ、プッシュレバー７５と作動ロッド７２を定量の噴水状態に定位し、使用者が手部押圧の圧力から開放されるようにし、これにより快適便利な噴水制御機能を達成する。
【考案の開示】
【考案が解決しようとする課題】
【０００３】
しかし上述の従来の技術は、噴水作業過程中に、噴水流量を通水状態となるよう定位して手部押圧の圧力を低減する時、手できつくウォーターガン７０のプッシュレバー７５を握持し、更にもう一方の手で該水制御リング７６を回してプッシュレバー７５を弾性係止により定位する必要があり、使用上、非常に不便である。また、周知のウォーターガン７０は噴水流量変換操作時に、通常、ウォーターガン７０の噴水状態下で変換を行わねばならず、使用者は手でガン本体７１を握持し、もう一方の手で噴水ヘッド７４を回転調整する必要があるが、噴水ヘッド７４は出水スリーブ７３に嵌合されているため、該噴水流量は噴水ヘッド７４の噴水孔７４１と出水スリーブ７３の出水口７３１の間を理想的な距離に回転調整することにより、噴水流量の変換を行う。このため両手の操作を交互に組み合わせなければならず、不注意により手部が噴出する水流に接触しやすく、それにより水が飛び散って全身を濡らし、使用上、極めて不便である。上述の数々の欠点は改善の必要がある。
【０００４】
本考案は以上を鑑み、一種のウォーターガンの噴水調整制御機構を提供することを目的とし、それは、ウォーターガンのグリップ本体とプッシュレバーの相互動作対応部分において、位置決め制御機構が設けられ、プッシュレバーの連続押圧で該位置決め制御機構の位置決めロッドがガイドブロックの滑り溝中を循環移動定位可能とされ、またグリップ本体のプッシュスイッチの協動が組み合わされて、操作制御に便利で省力なウォーターガンの噴水調整制御機構が獲得される。また、ウォーターガンの出水端に噴水流量制御機構が設けられ、使用者が直接片手でガン本体を握持し、並びに手指で該流量制御機構を回転調整することで、噴水孔と出水口間の距離が改変されて、片手での握持且つ噴水流量微調整変換の便利な効果を達成する。
【課題を解決するための手段】
【０００５】
請求項１の考案は、ウォーターガンの噴水調整制御機構であって、該ウォーターガンは、ガン本体、プッシュレバー、位置決め制御機構、噴水ヘッド及び流量制御機構が組み合わされてなり、そのうち、該ガン本体の内部に入水管路を具えたグリップ本体があり、これにより水流が入水管路を流れてガン管座の噴水ヘッドより噴水され、グリップ本体の水流管路間にプッシュスイッチが取り付けられて管路壁間に突出する出水プッシュロッドを弾性定位する時、ちょうどグリップ本体前端外周に枢設されたプッシュレバーと圧接し、該プッシュレバーが連続して押圧され回転することにより、プッシュスイッチが同期に動作し、これによりウォーターガン流量が通水或いは止水状態とされ、該グリップ本体上端にガン管座が延設され、並びに出水管路の末端に出水スリーブが枢設され、更に出水スリーブに噴水調整ヘッドが螺合され、カバーがガン管座を封じるように設けられ、流量制御機構を回転調整して噴水孔と出水口間の距離を改変して噴水流量の異なる噴水モードを形成させられる、上記ウォーターガンの噴水調整制御機構において、
該ウォーターガンのグリップ本体のプッシュレバーと相互動作が対応する部分に、ガイドブロック、位置決めバネ、位置決めロッドを具えた水流位置決め制御機構が設けられ、そのうち、ガイドブロックは中空方形柱体とされ、グリップ本体前端の案内柱に取り付けられ、且つガイドブロックの外側に、行程が対称な環形の滑り溝が設けられ、位置決めロッドが位置決めバネによりプッシュレバー上方内側の位置決め柱に嵌合され、並びにその折り曲げ端が９０度の垂直方向でガイドブロックの滑り溝中に嵌入し循環移動し、
以上の部品で構成されて、連続してプッシュレバーが押圧されることで、位置決めロッドがガイドブロックの滑り溝を循環移動し、更にグリップ本体のプッシュスイッチの協動が組み合わされて、ウォーターガン流量が通水或いは止水状態とされ、これにより省力化され且つ操作制御に便利とされたことを特徴とする、ウォーターガンの噴水調整制御機構としている。
請求項２の考案は、請求項１記載のウォーターガンの噴水調整制御機構において、位置決めロッドは逆Ｕ形ロッド体とされ、その一つの折り曲げ端がプッシュレバーの位置決め柱の穿孔中に挿入され、別の折り曲げ端が位置決め柱外側に突出し、ガイドブロックの滑り溝中に嵌入係止されることを特徴とする、ウォーターガンの噴水調整制御機構としている。
請求項３の考案は、請求項２記載のウォーターガンの噴水調整制御機構において、位置決めロッドの穿孔に近い折り曲げ端部分に別に内向きに折り曲げられた圧接端が設けられ、位置決めバネの嵌合圧接により、位置決め柱に組み合わされた位置決めロッドの、スライドブロックの滑り溝における移動の案内定位機能が形成されることを特徴とする、ウォーターガンの噴水調整制御機構としている。
請求項４の考案は、請求項１記載のウォーターガンの噴水調整制御機構において、ガイドブロックの滑り溝間に落差を有する斜面が形成され、位置決めロッドを順調に案内することを特徴とする、ウォーターガンの噴水調整制御機構としている。
請求項５の考案は、請求項１記載のウォーターガンの噴水調整制御機構において、滑り溝の開始点と定位点の間に高さ位置の落差があり、プッシュスイッチが通水と止水の動作変化を具えるものとされたことを特徴とする、ウォーターガンの噴水調整制御機構としている。
請求項６の考案は、請求項１記載のウォーターガンの噴水調整制御機構において、滑り溝が行程が三角翼状の対称な環形溝とされ、位置決めロッドがその間を弾性を以て循環移動することを特徴とする、ウォーターガンの噴水調整制御機構としている。
請求項７の考案は、請求項６記載のウォーターガンの噴水調整制御機構において、滑り溝の溝内部にストッパブロックが凸設されて位置決めロッドの通水状態時の位置決め機能を提供することを特徴とする、ウォーターガンの噴水調整制御機構としている。
請求項８の考案は、ウォーターガンの噴水調整制御機構であって、該ウォーターガンは、ガン本体、プッシュレバー、位置決め制御機構及び流量制御機構が組み合わされてなり、そのうち、該ガン本体の内部に入水管路を具えたグリップ本体があり、これにより水流が入水管路を流れてガン管座の噴水ヘッドより噴水され、グリップ本体の水流管路間にプッシュスイッチが取り付けられて管路壁間に突出する出水プッシュロッドを弾性定位する時、ちょうどグリップ本体前端外周に枢設されたプッシュレバーと圧接し、該プッシュレバーが連続して押圧され回転することにより、プッシュスイッチが同期に動作し、これによりウォーターガン流量が通水或いは止水状態とされ、該グリップ本体上端にガン管座が延設され、並びに出水管路の末端に出水スリーブが枢設され、更に出水スリーブに噴水調整ヘッドが螺合され、カバーがガン管座を封じるように設けられ、流量制御機構を回転調整して噴水孔と出水口間の距離を改変して噴水流量の異なる噴水モードを形成させられる、上記ウォーターガンの噴水調整制御機構において、
該流量制御機構が制動輪と伝動輪で構成され、該制動輪がガン管座の框体縁底部の外側端に当接し、別端は框体縁の底端に係止され、結合プラグを具えた伝動輪がガン管座の框体縁底ガイドブロック４１に螺合され、該伝動輪の歯が噴水調整ヘッドの接合歯と噛み合い回転し、
以上の部品で構成されて、使用者が簡単に片手でガン本体を握持して手指で流量制御機構を回転調整することで、噴水ヘッドに微量の移動を形成させて、噴水口と出水口の間の距離を改変し、異なる流量の噴水モードを獲得でき、操作制御に便利とされたことを特徴とする、ウォーターガンの噴水調整制御機構としている。
請求項９の考案は、請求項８記載のウォーターガンの噴水調整制御機構において、制動輪の一側面の中心部分に結合凹孔が設けられ、結合プラグを具えた伝動輪の挿入結合定位に供されることを特徴とする、ウォーターガンの噴水調整制御機構としている。
請求項１０の考案は、請求項８記載のウォーターガンの噴水調整制御機構において、伝動輪の表面に歯が設けられ、噴水調整ヘッドを駆動して微量の移動を形成させるのに供されることを特徴とする、ウォーターガンの噴水調整制御機構としている。
請求項１１の考案は、請求項８記載のウォーターガンの噴水調整制御機構において、伝動輪の歯面距離が噴水調整ヘッドの接合歯の歯面距離より大きく、該噴水調整ヘッドが伝動輪の歯面において移動可能とされたことを特徴とする、ウォーターガンの噴水調整制御機構としている。
【考案の効果】
【０００６】
以上の説明から分かるように、本考案は以下のような多くの長所を有している。
１．操作制御の省力化が行える機能を達成する：  本考案はプッシュレバー内に位置決めロッドが取り付けられ、グリップ本体にプッシュレバー内の位置決めロッドと嵌合するガイドブロックが設けられ、該プッシュレバーが位置決めロッドのガイドブロックの滑り溝内での循環案内スライド移動により、通水或いは止水状態に位置決めされ、使用者が噴水作業の過程で、力を入れてきつくプッシュレバーを握持する必要がなく、操作制御の省力化の機能を達成する。
２．操作制御が簡単である：  本考案の出水動作は直接プッシュレバーを押圧する操作だけで、プッシュレバー内の位置決めロッドをガイドブロックの滑り溝中でスライドさせて定位させられ、更にプッシュレバーを押圧する時、位置決めロッドが続いて移動して開始位置に戻り、ゆえに全体として操作制御が簡易な機能を達成する。
３．片手で微調整でき且つ噴水流量を速やかに変換できる：  本考案のウォーターガンの噴水調整制御機構の設計により、使用者は直接片手でガン本体を握持し、並びに手指で流量制御機構を回転調整でき、噴水ヘッドに鼻梁の移動を形成させられ、これにより噴水流量の快速便利な微調整変化を達成できる。
【０００７】
総合すると、本考案のウォーターガンの噴水調整制御機構は、連続してプッシュレバーを押圧することで、位置決め制御機構の循環案内スライド移動動作に、グリップ本体のプッシュスイッチの協動が組み合わされ、ウォーターガンの流量が通水或いは止水状態とされる作業が行え、並びに片手でガン本体を握持し、且つ握持した手指で直接流量制御機構を回転調整して、噴水流量の微調整変換の簡便な効果を達成できる。ゆえに省力化と操作制御に便利なウォーターガンの噴水調整制御機構を提供し、本考案は全体として極めて産業上の実用性を具備する。且つその構造は従来にはなく、新規性を具備している。
【考案を実施するための最良の形態】
【０００８】
本考案のウォーターガンの噴水調整制御機構は、図１、２、３及び図４に示されるようであり、ガン本体１０、プッシュスイッチ２０、プッシュレバー３０、位置決め制御機構４０、噴水ヘッド５０及び流量制御機構６０が組み合わされてなる。そのうち、該ガン本体１０の内部に入水管路１１１を具えたグリップ本体１１があり、これにより水流が入水管路１１１を流れてガン管座１２の噴水ヘッド５０より噴水される。プッシュスイッチ２０は止水バネ２１で止水プラグ２２に圧接され止水プラグ２２にグリップ本体１１の入水管路１１１の所定位置に設けられた止水スリーブ２３を封鎖させる。並びにグリップ本体１１に、外周に出水バネ２４が嵌合された出水プッシュロッド２５が挿入されて止水プラグ２２と相互に押圧動作を形成可能とされる。またグリップ本体１１の前端の外周底端部分に押圧に供されるプッシュレバー３０が設けられ、該プッシュレバー３０の内側中段が出水プッシュロッド２５に当接し、該プッシュレバー３０が押圧される時、底端枢設部分を支点として回転して、該出水プッシュロッド２５を押動し、その止水プラグ２２を下向きに押圧移動させる。これにより水流が入水管路１１１より止水スリーブ２３を通る、水流通路が形成される。該プッシュレバー３０が開放された後、該止水プラグ２２及び出水プッシュロッド２５は止水バネ２１及び出水バネ２４の回復力により相互に押圧し、これにより止水プラグ２２が再度止水スリーブ２３を封鎖し、プッシュレバー３０は開始状態に弾性回復し、こうして止水動作が完成する。該グリップ本体１１上端にガン管座１２が延設され、その内部に出水管路１２１が設けられ、並びにグリップ本体１１の入水管路１１１と連通し、且つ出水管路１２１の末端に噴水ヘッド５０が嵌合されている。そのうち、該噴水ヘッド５０はシールパッキング５１及び出水口５２１を具えた出水スリーブ５２を包含し、またガン管座１２の開口端には収容溝が繞設された框体縁１２２が形成され、該框体縁１２２と反対側の底部に穿孔１２３が設けられ、並びに框体縁１２２の所定位置に環状に係合縁１２４が設けられている。別に出水スリーブ５２の接合端５２２に、噴水孔５３１を具えた噴水調整ヘッド５３が螺合され、更に貫通孔５４１、位置決め凸縁５４２及び環縁５４３を具えたカバー５４が係合縁１２４に係合させられ、こうしてガン管座１２の開口端を封じるように位置決めされ、噴水孔５３１と出水口５２１の形成する距離により、ウォーターガンの噴水流量が異なる噴水モードが形成される。本考案の主要な改良の特徴は以下のとおりである。
【０００９】
位置決め制御機構４０は、ガイドブロック４１、位置決めバネ４３及び位置決めロッド４４が組み合わされてなる。そのうち、ガイドブロック４１は中空方形柱体とされて、グリップ本体１１の前端のガイド柱１３に固定され、ガイドブロック４１の外側に三角翼行程を呈する対称な環形滑り溝４２が設けられ、該滑り溝４２は左右対称の不等辺の第１溝４２１、第２溝４２２、第３溝４２３及び第４溝４２４を包含し、且つ各溝間に落差斜面があり、並びに各溝内部にストッパブロック４２５が凸設されて、循環する滑り溝４２の封鎖を形成する。別にプッシュレバー３０の上方内側に穿孔３１１を具えた位置決め柱３１が凸設され、位置決めバネ４３の嵌合に供される。別に逆Ｕ形の位置決めロッド４４の第１折り曲げ端４４１が位置決めバネ４３に挿入され該穿孔３１１に結合され、並びにその中段の第２折り曲げ端４４２が位置決めバネ４３中に収容され、位置決めロッド４４の別端は位置決め柱３１外に突出して第３折り曲げ端４４３を形成し、位置決めロッド４４が位置決めバネ４３により強固に位置決め柱３１に嵌合され、プッシュレバー３０がグリップ本体１１に枢設された後、該位置決め柱３１に嵌合された位置決めロッド４４の第３折り曲げ端４４３が９０度の垂直方向を以てガイドブロック４１の滑り溝４２の開始点Ｏに嵌合され、位置決めロッド４４が位置決め柱３１においてガイドブロック４１の滑り溝４２に対して左右に揺動移動する時、該位置決めバネ４３により強制的に位置決めロッド４４が正しく案内され定位される機能を形成する。
【００１０】
噴水調整ヘッド５３は、噴水孔５３１を具え、出水スリーブ５２の外周接合端５２２に螺合され、且つ孔中段に止水パッキング５２３が収容されて、水流の漏れを防止し、噴水孔５３１と反対の端部の外周に環状接合歯５３２が形成され、これによりガン管座１２の開口端の収容溝内に収容、接合される。
【００１１】
流量制御機構６０は、制動輪６１、伝動輪６２が組み合わされて成る。該制動輪６１はガン管座１２の框体縁１２２底部の外側端に当接し、別端は框体縁１２２の底端に係止され、その一側面の中心部分に結合凹孔６１１が設けられ、該伝動輪６２の表面に歯が設けられ、且つ結合プラグ６２１が延設され、該結合プラグ６２１がガン管座１２の穿孔１２３中に挿入定位されて、制動輪６１の結合凹孔６１１と結合され、これにより該伝動輪６２が噴水調整ヘッド５３の接合歯５３２と噛み合う。また伝動輪６２の歯面距離は噴水調整ヘッド５３の接合歯５３２の歯面距離より大きいため、該噴水調整ヘッド５３が伝動輪６２の歯において移動することができ、それが接合歯５３２と同期回転して、且つガン管座１２の開口端の収容溝内の下半部に収容され、位置決め凸縁５４２を具えたカバー５４が伝動輪６２の孔を封鎖するように定位される。
【００１２】
更に本考案の構造特徴、運用する技術手段及び達成が予期される機能について説明するため、図４を参照されたい。図４は本考案の未動作前の組合せ断面図である。手部で該プッシュレバー３０を押圧する時、グリップ本体１１底部の枢設部分を支点として回転を発生し、該位置決め柱３１に組み合わされた位置決めロッド４４もまた同期にガイドブロック４１の滑り溝４２の第１溝４２１中を移動し（図５）、且つプッシュレバー３０の圧接部が同期に止水プラグ２２に圧接し、止水プラグ２２と止水スリーブ２３に水流通路を形成させ、水流がグリップ本体１１内部の入水管路１１１よりガン管座１２の出水管路１２１に流入し、手部がそれ以上プッシュレバー３０に対して圧力を印加しない時、該プッシュレバー３０は止水バネ２１及び出水バネ２４の弾性回復を受け、該位置決めロッド４４に第２溝４２２の落差の斜面に沿って定位点Ｓまで移動させ（図６）、該位置決めロッド４４の移動時に、位置決めバネ４３の嵌合と圧接により、位置決めロッド４４が正しく案内されてもとの位置に戻り、並びに行程末端で凸設されたストッパブロック４２５に係止、定位され、滑り溝４２からの離脱の恐れがない。ゆえに使用者は手部を離すことができ、続いてプッシュレバー３０を押圧しなくとも、噴水流量の定位制御を行える。使用者が噴水流量を異なる噴水モードに調整する時、グリップ本体１１を握持する手指で直接制動輪６１を回転調整すると、制動輪６１が伝動輪６２とガン管座１２の框体縁１２２底部の穿孔１２３の二側に定位されているため、伝動輪６２が制動輪６１と同期に回転し、これにより出水スリーブ５２外周の接合端５２２に枢設された噴水調整ヘッド５３が協動し、これにより噴水調整ヘッド５３が出水スリーブ５２において移動を発生し、出水口５２１と対応する噴水孔５３１と距離の変換を形成し、この距離の変換により異なる流量の噴水モードが獲得される。再度プッシュレバー３０を押圧する時、該位置決めロッド４４は第３溝４２３に沿って続いて移動し（図７）、手部がそれ以上プッシュレバー３０に圧力を印加しない時もまた前述のように、位置決めロッド４４が第４溝４２４の斜面に沿って移動し開始点Ｏまで至り、並びに行程末端で止水バネ２１と出水バネ２４の弾性回復を受けて、水流止水の定位制御を達成する。該滑り溝４２の開始点Ｏと定位点Ｓの両者間には高さ位置の落差があり、ゆえにプッシュスイッチ２０は通水と止水の動作変化を具備するものとされる。
【００１３】
上述の部品で構成され、該位置決めバネ４３と位置決めロッド４４は相互に正しく案内し定位し、更に位置決めロッド４４のガイドブロック４１の滑り溝４２中の循環案内スライドする位置決め制御機構４０の設計が組み合わされて、プッシュレバー３０が押圧される時、プッシュスイッチ２０が駆動され、これによりウォーターガン流量が通水状態か止水状態かの選択作業が行われ、且つ本考案のウォーターガンは直接片手でガン本体１０が握持され、並びに握持した手の手指により流量制御機構６０を回転調整して異なる流量の噴水モードに変換でき、その操作は相当に便利であり、且つ手部が噴水に接触して水が飛び散って使用者が濡れることがなく、ゆえに省力可能で且つ操作に便利なウォーターガンの噴水調整制御機構を提供している。
【図面の簡単な説明】
【００１４】
【図１】本考案の立体外観図である。
【図２】本考案の位置決め制御機構の立体分解図である。
【図３】本考案の未動作前の組合せ図である。
【図４】本考案の噴水調整制御機構の組合せ断面図である。
【図５】本考案の噴水調整制御機構の動作断面図である。
【図６】本考案の噴水調整制御機構の動作断面図である。
【図７】本考案の噴水調整制御機構の動作断面図である。
【図８】周知のウォーターガンの組合せ断面図である。
【図９】周知のウォーターガンの動作断面図である。
【符号の説明】
【００１５】
Ｏ  開始点            Ｓ  定位点
１０  ガン本体        １１  グリップ本体
１１１  入水管路      １２  ガン管座
１２１  出水管路      １２２  框体縁
１２３  穿孔          １２４  係合縁
１３  ガイド柱        ２０  プッシュスイッチ
２１  止水バネ        ２２  止水プラグ
２３  止水スリーブ    ２４  出水バネ
２５  出水プッシュロッド  ３０  プッシュレバー
３１  位置決め柱          ３１１  穿孔
４０  位置決め制御機構    ４１  ガイドブロック
４２  滑り溝              ４２１  第１溝
４２２  第２溝            ４２３  第３溝
４２４  第４溝            ４２５  ストッパブロック
４３  位置決めバネ        ４４  位置決めロッド
４４１  第１折り曲げ端    ４４２  第２折り曲げ端
４４３  第３折り曲げ端    ５２  出水スリーブ
５２１  出水口            ５２２  接合端
５２３  止水パッキング    ５３  噴水調整ヘッド
５３１  噴水孔            ５３２  接合歯
５４  カバー              ５４１  貫通孔
５４２  位置決め凸縁      ５４３  環縁
６０  流量制御機構        ６１  制動輪
６１１  結合凹孔          ６２  伝動輪
６２１  結合プラグ
７０  ウォーターガン      ７１  ガン本体
７１１  入水管路          ７２  作動ロッド
７２１  バネ              ７３  出水スリーブ
７３１  出水口            ７４  噴水ヘッド
７４１  噴水孔            ７５  プッシュレバー
７５１  係止部            ７６  水制御リング
【図１】
0003115679.tif 000003
【図２】
0003115679.tif 000004
【図３】
0003115679.tif 000005
【図４】
0003115679.tif 000006
【図５】
0003115679.tif 000007
【図６】
0003115679.tif 000008
【図７】
0003115679.tif 000009
【図８】
0003115679.tif 000010
【図９】
0003115679.tif 000011